(57)【要約】      （修正有）【課題】収納空間が複数の空間に仕切られた組立式梱包箱において、組立工数の低減を図る。【解決手段】第２側板３の端辺のうち底板６と反対側の上端辺から底板６側に突出した仕切フラップであって、上端辺から底板６側に延びる突出板、及び該突出板の端辺から第１側板２側に突出した仕切板８Ｂ、８Ｃを有する仕切フラップ８を備える。これにより、仕切板８Ｂ、８Ｃを有する仕切フラップ８が第２側板３に設けられているので、組立式梱包箱の組立工程に加えて、仕切部材を収納空Ａに配設する工程を別途必要としない。また、仕切フラップ８は、蓋板７が設けられた第１側板２ではなく、第１側板２と対向する第２側板３に設けられている。このため、シート材から展開部材を切り出す等した際に、破棄する箇所を低減できる。【選択図】図１
0003181818.tif 000002
【実用新案登録請求の範囲】
【請求項１】
物品が収納される六面体状の収納空間を有し、シート材が折り曲げられて前記収納空間が構成された組立式梱包箱において、
前記収納空間の第１壁面を構成する第１側板と、
前記収納空間を挟んで前記第１側板と反対側に位置し、前記収納空間の第２壁面を構成する第２側板と、
前記第１側板と前記第２側板とを連結し、前記収納空間の第３壁面を構成する第３側板と、
前記収納空間を挟んで前記第３側板と反対側に位置するとともに、前記第１側板と前記第２側板とを連結して前記収納空間の第４壁面を構成する第４側板と、
前記第１側板及び前記第２側板のうち少なくとも一方の側板の端辺から他方の側板側に突出し、前記収納空間の第５壁面を構成する底板と、
前記収納空間を挟んで前記底板と反対側に位置するとともに、前記第１側板の端辺から前記第２側板側に突出した蓋板であって、前記第１側板に対して揺動可能な蓋板と、
前記第２側板の端辺のうち前記底板と反対側の端辺（以下、上端辺という。）から前記底板側に突出した仕切フラップであって、前記上端辺から前記底板側に延びる突出板、及び前記突出板の端辺から前記第１側板側に突出した仕切板を有する仕切フラップと
を備えることを特徴とする組立式梱包箱。
【請求項２】
前記仕切板の板面は、前記突出板と交差する方向に拡がっているとともに、前記第３側板又は前記第４側板と対向していることを特徴とする請求項１に記載の組立式梱包箱。
【請求項３】
前記仕切板のうち前記底板側の端部（以下、仕切端という。）は、前記突出板の延び方向先端（以下、突出端という。）より前記底板側に位置しており、
さらに、前記上端辺から前記仕切端までの寸法は、前記第１側板と前記第２側板との距離より大きいことを特徴とする請求項２に記載の組立式梱包箱。
【請求項４】
前記上端辺から前記突出端までの寸法は、前記第１側板と前記第２側板との距離以下であることを特徴とする請求項３に記載の組立式梱包箱。
【請求項５】
前記突出端から前記仕切端に連なる部位には、前記突出板の延び方向に対して傾いた傾斜部が設けられていることを特徴とする請求項４に記載の組立式梱包箱。
【請求項６】
前記仕切板は、前記突出板を挟んで両側に設けられていることを特徴とする請求項５に記載の組立式梱包箱。
【考案の詳細な説明】
【技術分野】
【０００１】
本考案は、物品が収納される組立式梱包箱に関する。
【背景技術】
【０００２】
組立式梱包箱とは、例えば特許文献１に示されるように、所定形状に切断成形等されたシート材が折り曲げられて構成された箱である。
なお、シート材とは、例えば、厚紙や段ボール紙等の紙製のシート、又は金属板若しくは樹脂板等の折り曲げ加工が可能な板材をいう。また、所定形状に切断成形等されたシート材、つまり折り曲げられる前のシート材を展開部材ともいう。
【先行技術文献】
【特許文献】
【０００３】
【特許文献１】特許第４６７８０４０号明細書
【考案の概要】
【考案が解決しようとする課題】
【０００４】
ところで、組立式梱包箱内に複数の物品が収納される場合においては、組立式梱包箱内の収納空間を複数の空間に仕切る仕切部材が配設される。この仕切部材は、多くの場合、組立式梱包箱が組み立てられた後、所定形状に折り曲げ形成されたシート材を収納空間に配設することにより構成されている。なお、当該仕切部材は、組立式梱包箱とは別に設けられたシート材である。
【０００５】
つまり、上記方式の組立式梱包箱では、組立式梱包箱の組立工程に加えて、仕切部材を収納空間に配設する工程を別途必要とするといった問題がある。
本考案は、上記点に鑑み、収納空間が複数の空間に仕切られた組立式梱包箱において、組立工数の低減を図ることを目的とする。
【課題を解決するための手段】
【０００６】
本考案は、上記目的を達成するために、収納空間（Ａ）の第１壁面（Ａ１）を構成する第１側板（２）と、収納空間（Ａ）を挟んで第１側板（２）と反対側に位置し、収納空間（Ａ）の第２壁面（Ａ２）を構成する第２側板（３）と、第１側板（２）と第２側板（３）とを連結し、収納空間（Ａ）の第３壁面（Ａ３）を構成する第３側板（４）と、収納空間（Ａ）を挟んで第３側板（４）と反対側に位置するとともに、第１側板（２）と第２側板（３）とを連結して収納空間（Ａ）の第４壁面（Ａ４）を構成する第４側板（５）と、第１側板（２）及び第２側板（３）のうち少なくとも一方の側板の端辺から他方の側板側に突出し、収納空間（Ａ）の第５壁面（Ａ５）を構成する底板（６）と、収納空間（Ａ）を挟んで底板（６）と反対側に位置するとともに、第１側板（２）の端辺（２Ｂ）から第２側板（３）側に突出した蓋板であって、第１側板（２）に対して揺動可能な蓋板（７）と、第２側板（３）の端辺のうち底板（６）と反対側の端辺（以下、上端辺（３Ｂ）という。）から底板（６）側に突出した仕切フラップであって、上端辺（３Ｂ）から底板（６）側に延びる突出板（８Ａ）、及び突出板（８Ａ）の端辺から第１側板（２）側に突出した仕切板（８Ｂ、８Ｃ）を有する仕切フラップ（８）とを備えることを特徴とする。
【０００７】
本考案では、仕切板（８Ｂ、８Ｃ）を有する仕切フラップ（８）が第２側板（３）に設けられているので、従来に係る組立式梱包箱と異なり、組立式梱包箱の組立工程に加えて、仕切部材を収納空（Ａ）に配設する工程を別途必要としない。
【０００８】
また、仕切フラップ（８）は、蓋板（７）が設けられた第１側板（２）ではなく、第１側板（２）と対向する第２側板（３）に設けられている。このため、本考案では、後述するように、シート材から展開部材を切り出す等した際に、破棄する箇所を低減できる。
【０００９】
なお、本考案は、以下のような構成であってもよい。
すなわち、請求項２に記載の考案のごとく、仕切板（８Ｂ、８Ｃ）の板面は、突出板（８Ａ）と交差する方向に拡がっているとともに、第３側板（４）又は第４側板（５）と対向した構成としてもよい。
【００１０】
また、請求項３に記載の考案のごとく、仕切板（８Ｂ、８Ｃ）のうち底板（６）側の端部（以下、仕切端（８Ｈ）という。）は、突出板（８Ａ）の延び方向先端（以下、突出端（８Ｊ）という。）より底板（６）側に位置しており、さらに、上端辺（３Ｂ）から仕切端（８Ｈ）までの寸法（Ｈ１）を、第１側板（２）と第２側板（３）との距離（Ｗ３）より大きくしてもよい。
【００１１】
また、請求項４に記載の考案のごとく、上端辺（３Ｂ）から突出端（８Ｊ）までの寸法（Ｈ２）を、第１側板（２）と第２側板（３）との距離（Ｗ３）以下としてもよい。
また、請求項５に記載の考案では、突出端（８Ｊ）から仕切端（８Ｈ）に連なる部位に、突出板（８Ａ）の延び方向に対して傾いた傾斜部（８Ｋ）を設けてもよい。
【００１２】
さらに、請求項６に記載の考案のごとく、仕切板（８Ｂ、８Ｃ）は、突出板（８Ａ）を挟んで両側に設けられていてもよい。
因みに、上記各手段等の括弧内の符号は、後述する実施形態に記載の具体的手段等との対応関係を示す一例であり、本考案は上記各手段等の括弧内の符号に示された具体的手段等に限定されるものではない。
【図面の簡単な説明】
【００１３】
【図１】（ａ）は本考案の第１実施形態に係る組立式梱包箱１の斜視図であり、（ｂ）は収納空間Ａの説明図である。
【図２】本考案の第１実施形態に係る組立式梱包箱１を底板６側から見た図である。
【図３】本考案の第１実施形態に係る組立式梱包箱１の蓋板７を開いた状態を示す図である。
【図４】図３のＢ−Ｂ断面図である。
【図５】本考案の第１実施形態に係る組立式梱包箱１の組立工程の途中を示す図である。
【図６】本考案の第１実施形態に係る組立式梱包箱１の展開部材１０である。
【図７】本考案の実施形態に係る組立式梱包箱１の特徴を説明するための比較例を示す図である。
【図８】本考案の第１実施形態に係る組立式梱包箱１の組立工程の途中を示す図である。
【図９】本考案の第１実施形態に係る組立式梱包箱１の組立工程の途中を示す図である。
【図１０】本考案の第２実施形態に係る組立式梱包箱１の展開部材１０である。
【考案を実施するための形態】
【００１４】
以下に説明する「考案の実施形態」は実施形態の一例を示すものである。つまり、実用新案登録請求の範囲に記載された考案特定事項等は、下記の実施形態に示された具体的手段や構造等に限定されるものではない。
【００１５】
以下、本考案の実施形態を図面と共に説明する。なお、各図に付された方向を示す矢印等は、各図相互の関係を理解し易くするために記載したものであり、本考案は、各図に付された方向に限定されるものではない。
【００１６】
（第１実施形態）
１．組立式梱包箱の構成
本実施形態に係る組立式梱包箱１は、図１（ａ）に示すように、物品を収納するための収納空間Ａを有する。本実施形態に係る収納空間Ａは、図１（ｂ）に示すように、少なくとも４つの壁面が直方形状となる六面体である。以下、六面体状の収納空間Ａを形成する６つの壁面Ａ１〜Ａ６を図１（ｂ）に示すように定義する。
【００１７】
すなわち、第１壁面Ａ１は頂点Ｐ１〜Ｐ４を有する仮想面である。第２壁面Ａ２は頂点Ｐ５〜Ｐ８を有する仮想面である。第３壁面Ａ３は頂点Ｐ１、Ｐ３、Ｐ７、Ｐ５を有する仮想面である。第４壁面Ａ４は頂点Ｐ２、Ｐ４、Ｐ８、Ｐ６を有する仮想面である。第５壁面Ａ５は頂点Ｐ３、Ｐ４、Ｐ８、Ｐ７を有する仮想面である。第６壁面Ａ６は頂点Ｐ１、Ｐ２、Ｐ６、Ｐ５を有する仮想面である。
【００１８】
そして、図１（ａ）に示すように、第１側板２は収納空間Ａの第１壁面Ａ１を構成する。第２側板３は、収納空間Ａを挟んで第１側板２と反対側に位置する側板であって、収納空間Ａの第２壁面Ａ２を構成する。
【００１９】
第３側板４は、第１側板２と第２側板３とを連結する側板であって、収納空間Ａの第３壁面Ａ３を構成する。第４側板５は、収納空間Ａを挟んで第３側板４と反対側に位置する側板であって、第１側板２と第２側板３とを連結して収納空間Ａの第４壁面Ａ４を構成する。
【００２０】
底板６は収納空間Ａの第５壁面Ａ５を構成する。なお、本実施形態に係る底板６は、図２に示すように、第１底板６Ａ及び第２底板６Ｂを有して構成されている。第１底板６Ａは、第１側板２の端辺２Ａから第２側板３側に突出した板材である。
【００２１】
第２底板６Ｂは、第２側板３の端辺３Ａから第１側板２側に突出した板材である。そして、第１底板６Ａ及び第２底板６Ｂは、第３側板４から第４側板５に至る範囲に設けられている。このため、収納空間Ａの第５壁面Ａ５は、底板６により閉塞された状態となる。
【００２２】
なお、本実施形態では、第２底板６Ｂの突出寸法、つまり端辺３Ａから先端まで寸法Ｗ２は、第１底板６Ａの突出寸法、つまり端辺２Ａから先端までの寸法Ｗ１より大きい寸法となっている。そして、第１底板６Ａと第２底板６Ｂとが重なる部位においては、第２底板６Ｂが第１底板６Ａより内側、つまり収納空間Ａ側に位置し、第１底板６Ａは第２底板６Ｂより外側に位置している。
【００２３】
因みに、第２底板６Ｂの突出寸法Ｗ２は、第５壁面Ａ５全体を第２底板６Ｂにて覆うことが可能な寸法である。具体的には、突出寸法Ｗ２は、第１側板２と第２側板３との距離の略９８％以上、１００％以下の寸法である。第１底板６Ａの突出寸法Ｗ１は、第２底板６Ｂの突出寸法Ｗ２の略５０％である。
【００２４】
なお、第３側板４及び第４側板５の端辺であって、底板６側の端辺４Ａ、５Ａそれぞれには、底板６を補強する補強フラップ４Ｂ、５Ｂが設けられている。補強フラップ４Ｂのうち折り線より第１底板６Ａ側の部位は、接着剤又はステープラー等により第１底板６Ａに連結されている。同様に、補強フラップ５Ｂのうち折り線より第２底板６Ｂ側の部位は、接着剤又はステープラー等により第２底板６Ｂに連結されている。
【００２５】
蓋板７は、図１（ａ）に示すように、収納空間Ａを挟んで底板６と反対側に位置し、かつ、第１側板２の端辺２Ｂから第２側板３側に突出した板材である。そして、蓋板７は、端辺２Ｂを揺動中心線として第１側板２に対して揺動できる。
【００２６】
第３側板４及び第４側板５の端辺であって、蓋板７側の端辺４Ｃ、５Ｃそれぞれには、蓋フラップ４Ｄ、５Ｄが設けられている。蓋フラップ４Ｄ、５Ｄは、蓋板７と共に収納空間Ａを閉塞する。
【００２７】
蓋フラップ４Ｄは、端辺４Ｃを揺動中心線として第３側板４に対して揺動可能である。蓋フラップ５Ｄは、端辺５Ｃを揺動中心線として第４側板５に対して揺動可能である。そして、蓋板７により収納空間Ａが閉塞される際には、蓋フラップ４Ｄ、５Ｄは、蓋板７よりも内側に位置し、蓋板７は蓋フラップ４Ｄ、５Ｄより外側に位置する。
【００２８】
なお、本実施形態に係る組立式梱包箱１は、底板６を下面とし、蓋板７側を上面として使用することを想定している。つまり、第６壁面Ａ６は、物品が収納空間Ａに対して出し入れされる際の開口部となる。
【００２９】
そして、作業者は、収納空間Ａ、つまり組立式梱包箱に物品を出し入れする際には、蓋板７及び蓋フラップ４Ｄ、５Ｄを図１（ａ）の二点鎖線で示す位置に揺動させて前記開口部を開く。
【００３０】
また、組立式梱包箱１は、図３に示すように、収納空間Ａを２つ以上（本実施形態では、３つ）の空間に仕切る第１仕切板８Ｂ及び第２仕切板８Ｃを有している。第１仕切板８Ｂ及び第２仕切板８Ｃは、第２側板３に設けられた仕切フラップ８に設けられている。
【００３１】
仕切フラップ８は、図４に示すように、第２側板３の端辺のうち底板６と反対側の端辺（以下、上端辺３Ｂという。）から底板６側に突出した部位である。そして、仕切フラップ８は、突出板８Ａ、第１仕切板８Ｂ及び第２仕切板８Ｃを有している。
【００３２】
突出板８Ａは、上端辺３Ｂから底板６側に延びる板状の部位である。第１仕切板８Ｂは、突出板８Ａの端辺８Ｄから第１側板２側に突出した板状の部位である。第２仕切板８Ｃは、突出板８Ａの端辺８Ｅから第１側板２側に突出した板状の部位である。
【００３３】
つまり、第１仕切板８Ｂ及び第２仕切板８Ｃは、突出板８Ａを挟んで両側に設けられている。このため、本実施形態に係る収納空間Ａは、図３に示すように、第１仕切板８Ｂ及び第２仕切板８Ｃにより３つの空間に仕切られる。
【００３４】
なお、第１仕切板８Ｂの板面８Ｆ及び第２仕切板８Ｃの板面８Ｇは、突出板８Ａと交差する方向に拡がっている。そして、第１仕切板８Ｂの板面８Ｆは、第３側板４と対向している。第２仕切板８Ｃの板面８Ｇは、第４側板５と対向している。このため、本実施形態では、収納空間Ａは、第３側板４側から第４側板５側に向かう向きにおいて、複数に仕切られた構成となる。
【００３５】
また、図４に示すように、第１仕切板８Ｂ及び第２仕切板８Ｃのうち底板６側の端部（以下、仕切端８Ｈという。）は、突出板８Ａの延び方向先端（以下、突出端８Ｊという。）より底板６側に位置している。なお、「突出板８Ａの延び方向」とは、上端辺３Ｂに対して直交する方向のうち上端辺３Ｂから離間する向きをいう。
【００３６】
そして、上端辺３Ｂから仕切端８Ｈまでの寸法Ｈ１は、第１側板２と第２側板３との距離Ｗ３（図３参照）より大きい寸法となっている。上端辺３Ｂから突出端８Ｊまでの寸法Ｈ２は、第１側板２と第２側板３との距離Ｗ３以下の寸法となっている。
【００３７】
なお、第１側板２と第２側板３との距離Ｗ３は、図３では、第１側板２の内壁面から第２側板３の外壁面までの寸法として規定されている。しかし、第１側板２と第２側板３との距離Ｗ３は図３の定義に厳格に限定されるものではなく、寸法Ｈ１、Ｈ２及び距離Ｗ３の寸法関係が以下の状態となれば十分である。
【００３８】
すなわち、仕切フラップ８が図５に示す状態にあるときに、第１仕切板８Ｂ及び第２仕切板８Ｃの仕切端８Ｈ側が、第１側板２又は蓋板７に引っ掛かって係止された状態となり、かつ、突出板８Ａの突出端８Ｊ側が第１側板２から離間した状態となる寸法関係となっていればよい。
【００３９】
因みに、仕切フラップ８が図５に示す状態にあるときとは、第１仕切板８Ｂ及び第２仕切板８Ｃが突出板８Ａに対して略平行であって、かつ、突出板８Ａが第２側板３と略直交する状態をいう。
【００４０】
また、突出端８Ｊから仕切端８Ｈに連なる部位には傾斜部８Ｋが設けられている。傾斜部８Ｋは、突出端８Ｊ及び仕切端８Ｈのうち少なくとも一方が、突出板８Ａの延び方向に対して傾いた直線状又は曲線状に傾斜した部位である。因みに、本実施形では、仕切端８Ｈに直線状の傾斜を設けることにより傾斜部８Ｋを構成している。
【００４１】
そして、第１仕切板８Ｂ及び第２仕切板８Ｃのうち上端辺３Ｂ側には、第１仕切板８Ｂ及び第２仕切板８Ｃと差込フラップ７Ａとの干渉を回避する逃げ部８Ｌが設けられている。逃げ部８Ｌは、第１仕切板８Ｂ及び第２仕切板８Ｃのうち上端辺３Ｂ側が、突出端８Ｊ側に陥没した部位である。
【００４２】
そして、本実施形態に係る逃げ部８Ｌは、突出板８Ａに近づくほど仕切端８Ｈ側に近づくように、上端辺３Ｂと平行な方向に対して傾斜した傾斜辺を有している。なお、差込フラップ７Ａとは、図１に示すように、蓋板７の先端側に設けられた部位であって、蓋板７にて開口部が閉塞されたときに、蓋板７が開放側に揺動変位することを抑止する部位である。
【００４３】
２．組立式梱包箱の展開部材
第１側板２〜第４側板５、底板６、蓋板７及び仕切フラップ８は、図６に示すように、１枚の展開部材１０に予め設けられている。そして、組立式梱包箱１は、図６の破線で示す箇所を折曲部として折り曲げられることにより組み立てられる。
【００４４】
なお、組立式梱包箱１を組み立てる際には、斜線で示された部位、つまり糊代９及び、補強フラップ４Ｂ、５Ｂの一部を事前に接着剤等にて対応する箇所に連結する必要がある。
【００４５】
具体的には、糊代９は第４側板５の内面に連結される。補強フラップ４Ｂのうち折り線より第１底板６Ａ側の部位は、第１底板６Ａに連結される。補強フラップ５Ｂのうち折り線より第２底板６Ｂ側の部位は、第２底板６Ｂに連結される。
【００４６】
３．本実施形態に係る組立式梱包箱の特徴
本実施形態では、第１仕切板８Ｂ及び第２仕切板８Ｃを有する仕切フラップ８が第２側板３に設けられているので、従来に係る組立式梱包箱と異なり、組立式梱包箱１の組立工程に加えて、仕切部材を収納空間Ａに配設する工程を別途必要としない。
【００４７】
また、仕切フラップ８は、蓋板７が設けられた第１側板２ではなく、第１側板２と対向する第２側板３に設けられている。このため、本実施形態では、シート材から展開部材１０を切り出す等した際に、破棄する箇所を低減できる。
【００４８】
すなわち、仮に、従来に係る組立式梱包箱のように、仕切部材を展開部材１０とは別の部材にて構成した場合には、仕切フラップ８が不要となるので、破棄する箇所が本実施形態に比べて大きくなる。
【００４９】
また仮に、蓋フラップ４Ｄ、５Ｄに仕切部材を設けた場合には、図７に示すように、仕切部材を含む蓋フラップ４Ｄ、５Ｄの部分が蓋板７より、紙面上側に拡大してしまう。このため、仮に、蓋フラップ４Ｄ、５Ｄに仕切部材を設けた場合には、破棄する箇所が本実施形態に比べて更に大きくなる。
【００５０】
以上のように、本実施形態では、シート材から展開部材１０を切り出す等した際に、破棄する箇所を低減できる。
また、本実施形態では、仕切端８Ｈは突出端８Ｊより底板６側に位置し、かつ、上端辺３Ｂから仕切端８Ｈまでの寸法Ｈ１は、第１側板２と第２側板３との距離Ｗ３より大きいことを特徴としている。
【００５１】
これにより、本実施形態では、仕切フラップ８が収納空間Ａ内に折り込まれる前においては、図５に示すように、第１仕切板８Ｂ及び第２仕切板８Ｃの仕切端８Ｈ側は、第１側板２又は蓋板７に係止された状態となる。
【００５２】
そして、上端辺３Ｂを揺動中心として、図５に示す状態から更に仕切フラップ８が底板６側に揺動変位すると、図８に示すように、第１仕切板８Ｂ及び第２仕切板８Ｃの仕切端８Ｈ側は、第１側板２又は蓋板７に係止されたまま、突出板８Ａのみが底板６側に揺動変位する。
【００５３】
このとき、第１仕切板８Ｂ及び第２仕切板８Ｃの仕切端８Ｈは、第１側板２の端辺２Ｂに対して滑り接触しながら底板６側に移動するので、第１仕切板８Ｂ及び第２仕切板８Ｃは、図８→図９の順に示すように、突出板８Ａに対して立ち上がるように、突出板８Ａに対して折り曲がっていく。
【００５４】
上記のように、本実施形態では、仕切フラップ８が収納空間Ａ内に折り込まれていくと、これに呼応して、第１仕切板８Ｂ及び第２仕切板８Ｃは、自動的に突出板８Ａに対して折り曲がっていく。
【００５５】
このため、突出板８Ａが第２側板３の内壁に接触可能な程度まで仕切フラップ８が収納空間Ａ内に折り込まれると、第１仕切板８Ｂ及び第２仕切板８Ｃは、図３に示すように、第３側板４又は第４側板５と対向する状態まで突出板８Ａに対して折り曲がっていく。
【００５６】
また、本実施形態では、上端辺３Ｂから突出端８Ｊまでの寸法Ｈ２は、第１側板２と第２側板３との距離Ｗ３以下であることを特徴としている。
これにより、本実施形態では、仕切フラップ８が収納空間Ａ内に折り込まれる前においては、図５に示すように、第１仕切板８Ｂ及び第２仕切板８Ｃの仕切端８Ｈ側は、第１側板２又は蓋板７に係止された状態となり、かつ、突出板８Ａは、第１側板２又は蓋板７に係止されない。
【００５７】
このため、仕切フラップ８が収納空間Ａ内に折り込まれていく際に、仕切端８Ｈのみを第１側板２の端辺２Ｂに対して滑り接触させることができる。つまり、突出板８Ａの突出端８Ｊ側が第１側板２又は蓋板７に係止された状態とならない。したがって、仕切フラップ８が収納空間Ａ内に折り込まれていく際に、第１仕切板８Ｂ及び第２仕切板８Ｃを確実に突出板８Ａに対して折り曲がらせることができる。
【００５８】
因みに、仮に、突出板８Ａの突出端８Ｊ側が第１側板２等に係止された状態となっていると、作業者は、仕切フラップ８を収納空間Ａ内に折り込む際に比較的大きな力で仕切フラップ８を収納空間Ａ内に折り込む必要がある。このため、突出端８Ｊ側が第１側板２等に係止された状態となっていると、組立作業性が低下するおそれがある。
【００５９】
また、本実施形態では、突出端８Ｊから仕切端８Ｈに連なる部位には、突出板８Ａの延び方向に対して傾いた傾斜部８Ｋが設けられていることを特徴としている。これにより、本実施形態では、図８に示すように、仕切端８Ｈが第１側板２の端辺２Ｂに対して滑り接触する際に、仕切端８Ｈが端辺２Ｂに対して滑らかに滑っていく。
【００６０】
したがって、本実施形態では、仕切フラップ８が収納空間Ａ内に折り込まれていく作動に応じて、第１仕切板８Ｂ及び第２仕切板８Ｃを滑らかに突出板８Ａに対して折り曲げていくことができる。
【００６１】
因みに、突出端８Ｊから仕切端８Ｈに連なる部位が段差状に形成されていると、仕切フラップ８が収納空間Ａ内に折り込まれていく際に、当該段差が第１側板２の端辺２Ｂに係止されるように引っ掛かるので、第１仕切板８Ｂ及び第２仕切板８Ｃを滑らかに折り曲げることができない。
【００６２】
また、本実施形態では、第１仕切板８Ｂ及び第２仕切板８Ｃは、突出板８Ａを挟んで両側に設けられていることを特徴としている。これにより、本実施形態では、突出板８Ａを収納空間Ａ側に押圧するように仕切フラップ８を折り曲げることにより、容易に、第１仕切板８Ｂ及び第２仕切板８Ｃを突出板８Ａに対して折り曲げていくことができる。
【００６３】
すなわち、仮に、第２仕切板８Ｃが設けられておらず、第１仕切板８Ｂのみが仕切フラップ８に設けられている場合において、突出板８Ａを収納空間Ａ側に押圧するように仕切フラップ８を折り曲げると、片側のみ力が作用するため、仕切フラップ８が捻れるおそれがある。そして、仕切フラップ８を折り込む際に仕切フラップ８が捻れると、第１仕切板８Ｂが突出板８Ａに対して折り曲がらない可能性がある。
【００６４】
これに対して、本実施形態では、第１仕切板８Ｂ及び第２仕切板８Ｃは、突出板８Ａを挟んで両側に設けられているので、仕切フラップ８が折り込まれる際に仕切フラップ８が捻れる可能性が低い。したがって、突出板８Ａを収納空間Ａ側に押圧することにより、容易に、第１仕切板８Ｂ及び第２仕切板８Ｃを突出板８Ａに対して折り曲げていくことができる。
【００６５】
なお、本実施形態では、第１仕切板８Ｂ及び第２仕切板８Ｃと突出板８Ａとの境界、つまり折曲部となる部位に、ミシン目等の折曲誘導部を設けている。これにより、突出板８Ａを収納空間Ａ側に第１仕切板８Ｂ及び第２仕切板８Ｃを突出板８Ａに対して確実に折り曲げることができる。
【００６６】
ところで、本実施形態では、第３側板４側、及び第４側板５側に物品を載置した状態で、仕切フラップ８を収納空間Ａ側に折り込むと、特に、効果的である。
つまり、第３側板４側、及び第４側板５側に物品を載置した状態で、仕切フラップ８が収納空間Ａ側に折り込まれると、第１仕切板８Ｂ及び第２仕切板８Ｃは、その載置された物品に滑り接触しながら突出板８Ａに対して折り曲がっていく。
【００６７】
このため、第１仕切板８Ｂ及び第２仕切板８Ｃを容易に折り曲げることができるとともに、第１仕切板８Ｂ及び第２仕切板８Ｃが元の状態に戻ることが抑制される。したがって、第３側板４側、及び第４側板５側に物品を載置した状態で、仕切フラップ８を収納空間Ａ側に折り込むと、物品を収納したままの状態で、容易かつ素早く収納空間Ａを仕切ることができる。
【００６８】
また、本実施形態に係る逃げ部８Ｌは、突出板８Ａに近づくほど仕切端８Ｈ側に近づくように、上端辺３Ｂと平行な方向に対して傾斜した傾斜辺を有していることも特徴とする。これにより、蓋板７が開口部を閉塞する向きに揺動する際に、差込フラップ７Ａを予め設定された所定に位置に案内することができる。
【００６９】
したがって、作業者は、蓋板７を容易に閉めることができる。なお、「予め設定された所定に位置」とは、例えば、第２側板３の内壁面と差込フラップ７Ａとが接触可能な位置である。
【００７０】
（第２実施形態）
本実施形態は、図１０に示すように、第１仕切板８Ｂ及び第２仕切板８Ｃのうちいずれか一方（例えば、第２仕切板８Ｃ）を廃止したものである。これにより、本実施形態では、収納空間Ａは２つの空間に仕切られる。
【００７１】
（その他の実施形態）
上述の実施形態では、底板６を下面としたが、本考案に係る組立式梱包箱の使用はこれに限定されるものではなく、例えば、底板６を側面側として使用してもよい。
【００７２】
また、上述の実施形態では、収納空間Ａが直方体であったが、本考案はこれに限定されるものではなく、例えば、収納空間Ａが立方体状であってもよい。
また、上述の実施形態では、第１仕切板８Ｂ等が第３側板４又は第４側板５と対向していたが、本考案はこれに限定されるものではなく、例えば、第１仕切板８Ｂ等が底板６と対向した構成であってもよい。
【００７３】
また、上述の実施形態では、仕切端８Ｈは突出端８Ｊより底板６側に位置し、かつ、上端辺３Ｂから仕切端８Ｈまでの寸法Ｈ１は、第１側板２と第２側板３との距離Ｗ３より大きい寸法となっていたが、本考案はこれに限定されるものではない。
【００７４】
つまり、上述の実施形態では、仕切フラップ８が収納空間Ａ内に折り曲げられていくと、これに呼応して第１仕切板８Ｂ及び第２仕切板８Ｃが突出板８Ａに対して折り曲がっていくものであった。
【００７５】
しかし、本考案はこれに限定されるものではなく、例えば、作業者が突出板８Ａに対して第１仕切板８Ｂ及び第２仕切板８Ｃを折り曲げた後、仕切フラップ８を収納空間Ａ側に折り込んでもよい。
【００７６】
そして、このように組立式梱包箱１を組み立てる場合には、仕切端８Ｈは突出端８Ｊより底板６側に位置し、かつ、上端辺３Ｂから仕切端８Ｈまでの寸法Ｈ１を、第１側板２と第２側板３との距離Ｗ３より大きい寸法とする必要はない。
【００７７】
また、上述の実施形態では、上端辺３Ｂから突出端８Ｊまでの寸法Ｈ２は、第１側板２と第２側板３との距離Ｗ３以下の寸法となっていたが、本考案はこれに限定されるものではなく、寸法Ｈ２を距離Ｗ３より大きくしてもよい。
【００７８】
なお、寸法Ｈ２を距離Ｗ３より大きくすると、仕切フラップ８を収納空間Ａ側に折り込む前においては、突出端８Ｊが第１側板２に係止された状態となる。しかし、仕切フラップ８を収納空間Ａ側に折り込む力により、第１側板２及び第２側板３のうち少なくとも一方が他方から離間するように撓むので、寸法Ｈ２を距離Ｗ３より大きくしても組立式梱包箱１を組み立てることができる。
【００７９】
また、上述の実施形態に係る傾斜部８Ｋは、仕切端８Ｈの一部のみに設けられていたが、本考案はこれに限定されるものではなく、例えば、突出端８Ｊと仕切端８Ｈとに跨るように傾斜部８Ｋを設ける、若しくは仕切端８Ｈ全域に傾斜部８Ｋを設ける、又は傾斜部８Ｋを廃止する等としてもよい。
【００８０】
また、上述の実施形態に係る傾斜部８Ｋは、直線状であったが、本考案はこれに限定されるものではなく、例えば、曲線状の傾斜部８Ｋであってもよい。
また、上述の実施形態では、第１底板６Ａと第２底板６Ｂとが異なる形状であったが、本考案は図２に示す形状・構成に限定されるものではなく、例えば、第１底板６Ａと第２底板６Ｂとを合同又は相似形状としてもよい。
【００８１】
また、本考案は、実用新登録請求の範囲に記載された考案の趣旨に合致するものであればよく、上述の実施形態に限定されるものではない。
【符号の説明】
【００８２】
１… 組立式梱包箱  ２… 第１側板  ３… 第２側板  ４… 第３側板
４Ｂ… 補強フラップ  ４Ｄ… 蓋フラップ  ５… 第４側板
５Ｂ… 補強フラップ  ５Ｄ… 蓋フラップ  ６… 底板  ６Ａ… 第１底板
６Ｂ… 第２底板  ７… 蓋板  ８Ｂ… 第１仕切板  ８Ｃ… 第２仕切板
８… 仕切フラップ  ８Ａ… 突出板  ８Ｋ… 傾斜部
【図１】
0003181818.tif 000003
【図２】
0003181818.tif 000004
【図３】
0003181818.tif 000005
【図４】
0003181818.tif 000006
【図５】
0003181818.tif 000007
【図６】
0003181818.tif 000008
【図７】
0003181818.tif 000009
【図８】
0003181818.tif 000010
【図９】
0003181818.tif 000011
【図１０】
0003181818.tif 000012